(57)【要約】  複数のワイヤレス通信装置を具備するプラットフォーム用チャネル回避システムを提供するための方法および機器の実施例が広くここに記述される。他の具体化も記述され、クレームされる。
2009545272.tif 000002
【特許請求の範囲】
【請求項１】
プラットフォーム内に共存しかつ配置された複数のワイヤレス通信装置のうちの第１のワイヤレス通信装置および第２のワイヤレス通信装置の少なくとも１つに関連したチャネル情報を決定する段階であって、前記第１のワイヤレス通信装置は、第１のワイヤレス通信ネットワークに関連し、かつ前記第２のワイヤレス通信装置は、第２のワイヤレス通信ネットワークに関連する、段階と、
前記チャネル情報に基づいてワイヤレス・リンクを介して通信するために、前記複数のワイヤレス通信装置のうちの第３のワイヤレス通信装置用バンド・グループの複数のサブバンドの１つに関連する少なくとも１つのチャネルを識別する段階であって、前記第３のワイヤレス通信装置は、第３のワイヤレス通信ネットワークに関連する、段階と、を含み、
前記複数のサブバンドの少なくとも１つは、前記第１のワイヤレス通信装置に関連した周波数範囲および前記第２のワイヤレス通信装置に関連した周波数範囲の少なくとも１つにオーバーラップするか、あるいはかなり近接している、
ことを特徴とする方法。
【請求項２】
前記チャネル情報を決定する段階は、前記第１のワイヤレス通信装置に関連したチャネルおよび前記第２のワイヤレス通信装置に関連したチャネルのうちの少なくとも１つが前記複数のサブバンドの少なくとも１つにオーバーラップしているか、あるいはかなり近接している周波数範囲で動作しているかどうかを決定する段階を含むことを特徴とする請求項１記載の方法。
【請求項３】
前記少なくとも１つのチャネルを識別する段階は、第１の中心周波数と第２の中心周波数との間の距離に基づいてチャネルを識別する段階を含み、前記第１の中心周波数は、前記第１のワイヤレス通信装置あるいは前記第２のワイヤレス通信装置によって使用されるチャネルに関連し、前記第２の中心周波数は、前記複数のサブバンドのうちの第１のサブバンド、第２のサブバンド、または第３のサブバンドに関連していることを特徴とする請求項１記載の方法。
【請求項４】
前記少なくとも１つのチャネルを識別する段階は、第１の中心周波数に関連したチャネルを識別する段階を含み、前記第１の中心周波数は、第３の中心周波数よりも第２の中心周波数からがより離れており、前記第１および第３の中心周波数の各々は、前記複数のサブバンドの１つに関連し、かつ前記第２の中心周波数は、前記第１のワイヤレス通信装置によって使用されるチャネルあるいは前記第２のワイヤレス通信装置によって使用されるチャネルに関連していることを特徴とする請求項１記載の方法
【請求項５】
前記少なくとも１つのチャネルを識別する段階は、前記第３のワイヤレス通信装置の受信電力が電力しきい値未満かどうかを決定する段階を含み、前記電力しきい値は、前記第１のワイヤレス通信装置または前記第２のワイヤレス通信装置の信号の強度に基づくことを特徴とする請求項１記載の方法。
【請求項６】
前記少なくとも１つのチャネルを識別する段階は、前記第１のワイヤレス通信装置が第１の周波数範囲外で動作し、かつ前記第２のワイヤレス通信装置が第２の周波数範囲外で動作していることに応答して、前記バンド・グループの前記複数のサブバンドのうちの任意の１つに関連したチャネルを識別する段階を含み、前記第１の周波数範囲は、前記複数のサブバンドの少なくとも１つにオーバーラップし、前記第２の周波数範囲は、前記複数のサブバンドの少なくとも１つにかなり近接していることを特徴とする請求項１記載の方法。
【請求項７】
前記チャネル情報を決定するために、前記第１のワイヤレス通信装置および前記第２のワイヤレス通信装置の少なくとも１つの活動を監視する段階をさらに含むことを特徴とする請求項１記載の方法。
【請求項８】
前記チャネル情報を決定するために、前記第１のワイヤレス通信装置および前記第２のワイヤレス通信装置の少なくとも１つに関連する活動情報を受信する段階をさらに含み、前記活動情報は、前記第１および第２ワイヤレス通信装置が使用中であるかどうかを示すことを特徴とする請求項１記載の方法。
【請求項９】
前記第１のワイヤレス通信装置は、ワイマックス（ＷｉＭＡＸ）技術に基づいて動作するために構成され、前記第２のワイヤレス通信装置は、ワイヤレス・フィデリティ（Ｗｉ−Ｆｉ）技術に基づいて動作するために構成され、前記第３のワイヤレス通信装置は、超広帯域（ＵＷＢ）技術に基づいて動作するために構成されることを特徴とする請求項１記載の方法。
【請求項１０】
前記第１のワイヤレス通信ネットワークは、ワイヤレス・ローカル・エリア・ネットワークを含み、前記第２のワイヤレス通信ネットワークは、ワイヤレス都市ネットワークを含み、前記第３のワイヤレス通信ネットワークは、ワイヤレス・パーソナル・エリア・ネットワークを含むことを特徴とする請求項１記載の方法。
【請求項１１】
プラットフォーム内に共存しかつ配置された複数のワイヤレス通信装置のうちの第１のワイヤレス通信装置および第２のワイヤレス通信装置の少なくとも１つに関連したチャネル情報を決定する活動モニタであって、前記第１のワイヤレス通信装置は、第１のワイヤレス通信ネットワークに関連し、および前記第２のワイヤレス通信装置は、第２のワイヤレス通信ネットワークに関連する、活動モニタと、
前記チャネル情報に基づいてワイヤレス・リンクを介して通信するために、前記複数のワイヤレス通信装置のうちの第３のワイヤレス通信装置用バンド・グループの複数のサブバンドの１つに関連する少なくとも１つのチャネルを識別するチャネル識別器であって、前記第３のワイヤレス通信装置は、第３のワイヤレス通信ネットワークに関連する、チャネル識別器と、を含み、
前記複数のサブバンドの少なくとも１つは、前記第１のワイヤレス通信装置によって使用される周波数範囲あるいは前記第２のワイヤレス通信装置によって使用される周波数範囲の少なくとも１つにオーバーラップするか、あるいはかなり近接している、
ことを特徴とする装置。
【請求項１２】
前記活動モニタは、前記第１のワイヤレス通信装置に関連したチャネルおよび前記第２のワイヤレス通信装置に関連したチャネルのうちの少なくとも１つが前記複数のサブバンドの少なくとも１つにオーバーラップしているか、あるいはかなり近接している周波数範囲で動作しているかどうかを決定するために構成されていることを特徴とする請求項１１記載の装置。
【請求項１３】
前記チャネル識別器は、第１の中心周波数と第２の中心周波数との間の距離に基づいてチャネルを識別するために構成され、前記第１の中心周波数は、前記第１のワイヤレス通信装置あるいは前記第２のワイヤレス通信装置によって使用されるチャネルに関連し、前記第２の中心周波数は、前記複数のサブバンドのうちの第１のサブバンド、第２のサブバンド、または第３のサブバンドに関連していることを特徴とする請求項１１記載の装置。
【請求項１４】
前記チャネル識別器は、第１の中心周波数に関連したチャネルを識別するために構成され、前記第１の中心周波数は、第３の中心周波数よりも第２の中心周波数からがより離れており、前記第１および第３の中心周波数の各々は、前記複数のサブバンドの１つに関連し、かつ前記第２の中心周波数は、前記第１のワイヤレス通信装置によって使用されるチャネルあるいは前記第２のワイヤレス通信装置によって使用されるチャネルに関連していることを特徴とする請求項１１記載の装置。
【請求項１５】
前記チャネル識別器は、前記第３のワイヤレス通信装置の受信電力が電力しきい値未満かどうかを決定するために構成され、前記電力しきい値は、前記第１のワイヤレス通信装置または前記第２のワイヤレス通信装置の信号の強度に基づくことを特徴とする請求項１１記載の装置。
【請求項１６】
前記チャネル識別器は、前記第１のワイヤレス通信装置が第１の周波数範囲外で動作し、かつ前記第２のワイヤレス通信装置が第２の周波数範囲外で動作していることに応答して、前記バンド・グループの前記複数のサブバンドのうちの任意の１つに関連したチャネルを識別するために構成され、前記第１の周波数範囲は、前記複数のサブバンドの少なくとも１つにオーバーラップし、前記第２の周波数範囲は、前記複数のサブバンドの少なくとも１つにかなり近接していることを特徴とする請求項１１記載の装置。
【請求項１７】
前記活動モニタは、前記チャネル情報を決定するために、前記第１のワイヤレス通信装置および前記第２のワイヤレス通信装置の少なくとも１つの活動を監視するために構成されていることを特徴とする請求項１１記載の装置。
【請求項１８】
内容を含む製造物であって、前記内容を機械がアクセスしたとき、前記機械は、
プラットフォーム内に共存しかつ配置された複数のワイヤレス通信装置のうちの第１のワイヤレス通信装置および第２のワイヤレス通信装置の少なくとも１つに関連したチャネル情報を決定し、前記第１のワイヤレス通信装置は、第１のワイヤレス通信ネットワークに関連し、および前記第２のワイヤレス通信装置は、第２のワイヤレス通信ネットワークに関連し、
前記チャネル情報に基づいてワイヤレス・リンクを介して通信するために、前記複数のワイヤレス通信装置のうちの第３のワイヤレス通信装置用バンド・グループの複数のサブバンドの１つに関連する少なくとも１つのチャネルを識別し、前記第３のワイヤレス通信装置は、第３のワイヤレス通信ネットワークに関連し、
前記複数のサブバンドの少なくとも１つは、前記第１のワイヤレス通信装置に関連した周波数範囲あるいは前記第２のワイヤレス通信装置に関連した周波数範囲の少なくとも１つにオーバーラップするか、あるいはかなり近接している、
ことを特徴とする製造物。
【請求項１９】
前記内容を機械がアクセスしたとき、前記機械は、前記第１のワイヤレス通信装置に関連したチャネルおよび前記第２のワイヤレス通信装置に関連したチャネルのうちの少なくとも１つが前記複数のサブバンドの少なくとも１つにオーバーラップしているか、あるいはかなり近接している周波数範囲で動作しているかどうかを決定することによって前記チャネル情報を決定することを特徴とする請求項１８記載の製造物。
【請求項２０】
前記内容を機械がアクセスしたとき、前記機械は、第１の中心周波数と第２の中心周波数との間の距離に基づいてチャネルを識別することを特徴とし、前記第１の中心周波数は、前記第１のワイヤレス通信装置あるいは前記第２のワイヤレス通信装置によって使用されるチャネルに関連し、前記第２の中心周波数は、前記複数のサブバンドのうちの第１のサブバンド、第２のサブバンド、または第３のサブバンドに関連していることを特徴とする請求項１８記載の製造物。
【請求項２１】
前記内容を機械がアクセスしたとき、前記機械は、第１の中心周波数に関連したチャネルを識別することを特徴とし、前記第１の中心周波数は、第３の中心周波数よりも第２の中心周波数からがより離れており、前記第１および第３の中心周波数の各々は、前記複数のサブバンドの１つに関連し、かつ前記第２の中心周波数は、前記第１のワイヤレス通信装置によって使用されるチャネルあるいは前記第２のワイヤレス通信装置によって使用されるチャネルに関連していることを特徴とする請求項１８記載の製造物。
【請求項２２】
前記内容を機械がアクセスしたとき、前記機械は、前記第３のワイヤレス通信装置の受信電力が電力しきい値未満かどうかを決定することを特徴とし、前記電力しきい値は、前記第１のワイヤレス通信装置または前記第２のワイヤレス通信装置の信号の強度に基づくことを特徴とする請求項１８記載の製造物。
【請求項２３】
前記内容を機械がアクセスしたとき、前記機械は、前記第１のワイヤレス通信装置が第１の周波数範囲外で動作し、かつ前記第２のワイヤレス通信装置が第２の周波数範囲外で動作していることに応答して、前記バンド・グループの前記複数のサブバンドのうちの任意の１つに関連したチャネルを識別することを特徴とし、前記第１の周波数範囲は、前記複数のサブバンドの少なくとも１つにオーバーラップし、前記第２の周波数範囲は、前記複数のサブバンドの少なくとも１つにかなり近接していることを特徴とする請求項１８記載の製造物。
【請求項２４】
前記内容を機械がアクセスしたとき、前記機械は、前記チャネル情報を決定するために、前記第１のワイヤレス通信装置および前記第２のワイヤレス通信装置の少なくとも１つの活動を監視することを特徴とする請求項１８記載の製造物。
【請求項２５】
無指向性アンテナと、
プラットフォーム内に共存しかつ配置された複数のワイヤレス通信装置のうちの第１のワイヤレス通信装置および第２のワイヤレス通信装置の少なくとも１つに関連したチャネル情報を決定するために前記アンテナに動作可能に結合され、かつチャネル情報に基づいてワイヤレス・リンクを介して通信するために、前記複数のワイヤレス通信装置のうちの第３のワイヤレス通信装置用バンド・グループの複数のサブバンドの１つのサブバンドに関連する少なくとも１つのチャネルを識別するプロセッサと、を含み、
前記第１のワイヤレス通信装置は、第１のワイヤレス通信ネットワークに関連し、前記第２のワイヤレス通信装置は、第２のワイヤレス通信ネットワークに関連し、前記第３のワイヤレス通信装置は、第３のワイヤレス通信ネットワークに関連する、
ことを特徴とするシステム。
【請求項２６】
前記プロセッサは、前記第１のワイヤレス通信装置に関連したチャネルおよび前記第２のワイヤレス通信装置に関連したチャネルのうちの少なくとも１つが前記複数のサブバンドの少なくとも１つにオーバーラップしているか、あるいはかなり近接している周波数範囲で動作しているかどうかを決定するために構成されていることを特徴とする請求項２５記載のシステム。
【請求項２７】
前記プロセッサは、第１の中心周波数と第２の中心周波数との間の距離に基づいてチャネルを識別するために構成され、前記第１の中心周波数は、前記第１のワイヤレス通信装置あるいは前記第２のワイヤレス通信装置によって使用されるチャネルに関連し、前記第２の中心周波数は、前記複数のサブバンドのうちの第１のサブバンド、第２のサブバンド、または第３のサブバンドに関連していることを特徴とする請求項２５記載のシステム。
【請求項２８】
前記プロセッサは、第１の中心周波数に関連したチャネルを識別するために構成され、前記第１の中心周波数は、第３の中心周波数よりも第２の中心周波数からがより離れており、前記第１および第３の中心周波数の各々は、前記複数のサブバンドの１つに関連し、かつ前記第２の中心周波数は、前記第１のワイヤレス通信装置によって使用されるチャネルあるいは前記第２のワイヤレス通信装置によって使用されるチャネルに関連していることを特徴とする請求項２５記載のシステム。
【請求項２９】
前記プロセッサは、前記第３のワイヤレス通信装置の受信電力が電力しきい値未満かどうかを決定するために構成され、前記電力しきい値は、前記第１のワイヤレス通信装置または前記第２のワイヤレス通信装置の信号の強度に基づくことを特徴とする請求項２５記載のシステム。
【請求項３０】
前記プロセッサは、前記第１のワイヤレス通信装置が第１の周波数範囲外で動作し、かつ前記第２のワイヤレス通信装置が第２の周波数範囲外で動作していることに応答して、前記バンド・グループの前記複数のサブバンドのうちの任意の１つに関連したチャネルを識別するために構成され、前記第１の周波数範囲は、前記複数のサブバンドの少なくとも１つにオーバーラップし、前記第２の周波数範囲は、前記複数のサブバンドの少なくとも１つにかなり近接していることを特徴とする請求項２５記載のシステム。
【発明の詳細な説明】
【技術分野】
【０００１】
本開示は、一般にワイヤレス通信システムに関連し、より詳しくは、プラットフォーム用チャネル回避システムに複数のワイヤレス通信装置を提供する方法および機器に関する。
【背景技術】
【０００２】
ワイヤレス通信がオフィス、ホーム、学校などでますますポピュラーになるにつれ、異なるワイヤレス技術およびアプリケーションがコンピューティングと通信の需要を満たすためにいつでもどこにでも連携して運用される。例えば、様々なワイヤレス通信ネットワークは、より高いコンピューティングおよび／または通信能力、より大きな移動性、および／または最終的にシームレスなローミングを具備するワイヤレス環境を提供するために共存する。
【０００３】
特に、ワイヤレス・パーソナル・エリア・ネットワーク（ＷＰＡＮ）は、オフィスの作業スペースあるいは家庭内の部屋のような比較的狭いスペース内で高速で短距離の接続を提供することができる。ワイヤレス・ローカル・エリア・ネットワーク（ＷＬＡＮ）は、オフィスビル、家庭、学校などでＷＰＡＮより広い範囲を提供することができる。ワイヤレス都市ネットワーク（ＷＭＡＮ）は、より広い地理的なエリア一帯に、例えば建物相互に接続することにより、ＷＬＡＮより大きな距離をカバーすることができる。ワイヤレス広域ネットワーク（ＷＷＡＮ）は、そのようなネットワークがセル・インフラストラクチャ内で広く展開するので最も広い範囲を提供することができる。上述の各ワイヤレス通信ネットワークは異なる利用法をサポートするが、これらのネットワーク中に共存することによって、いつでもどこにでも接続するようなより強健な環境を提供することができる。
【図面の簡単な説明】
【０００４】
【図１】ここに開示された方法および機器の実施例に従うワイヤレス通信システム例の概要図である。
【０００５】
【図２】複数のワイヤレス通信装置を備えるプラットフォーム例のブロック図である。
【０００６】
【図３】図２のプラットフォーム例に関連した周波数スペクトル例を示す。
【０００７】
【図４】図２のワイヤレス通信装置例のブロック図である。
【０００８】
【図５】チャネル回避システムを提供するために図２のプラットフォーム例が構成される一例を示す。
【０００９】
【図６】チャネル回避システムを提供するために図２のプラットフォーム例が構成される別の例を示す。
【００１０】
【図７】チャネル回避システムを提供するために図２のプラットフォーム例が構成されるさらに別の例を示す。
【００１１】
【図８】図２のプラットフォーム例を実装するために使用されるプロセッサ・システム例のブロック図である。
【発明を実施するための形態】
【００１２】
一般に、プラットフォーム用チャネル回避システムに複数のワイヤレス通信装置を提供する方法および機器がここに記述される。ここに記述された方法および機器は、この点について制限されることはない。
【００１３】
図１を参照して、ワイヤレス通信システム例１００は、１１０，１２０，１３０として一般に示された１またはそれ以上のワイヤレス通信ネットワークを含む。特に、ワイヤレス通信システム１００は、ワイヤレス・パーソナル・エリア・ネットワーク（ＷＰＡＮ）１１０、ワイヤレス・ローカル・エリア・ネットワーク（ＷＬＡＮ）１２０、および、ワイヤレス都市ネットワーク（ＷＭＡＮ）１３０を含めることができる。図１は３つのワイヤレス通信ネットワークを描くが、ワイヤレス通信システム１００は、追加のあるいはより少ないワイヤレス通信ネットワークを含んでいてもよい。例えば、ワイヤレス通信ネットワーク１００は、追加のＷＰＡＮ、ＷＬＡＮ、および／または、ＷＭＡＮを含んでいてもよい。ここに記述された方法および機器は、この点について制限されることはない。
【００１４】
ワイヤレス通信システム１００は、さらに、１またはそれ以上の加入者局を含めることができ、一般に１４０，１４２，１４４，１４６，１４８として示される。例えば、加入者局１４０，１４２，１４４，１４６，１４８は、デスクトップ・コンピュータ、ラップトップ・コンピュータ、ハンドヘルド・コンピュータ、タブレット・コンピュータ、携帯電話、ページャ、オーディオおよび／またはビデオ・プレーヤ（例えば、ＭＰ３プレーヤあるいはＤＶＤプレーヤ）、ゲーム装置、ビデオ・カメラ、デジタル・カメラ、ナビゲーション装置（例えば、ＧＰＳ装置）、ワイヤレス周辺装置（例えば、プリンタ、スキャナ、ヘッドセット、キーボード、マウスなど）、医療機器（例えば、心拍数モニタ、血圧モニタなど）、および／または、他の適切な固定、ポータブル、あるいはモバイル電子装置のようなワイヤレス電子装置を含む。図１は、５つの加入者局を示すが、ワイヤレス通信システム１００は、より多くのあるいはより少ない加入者局を含めることができる。
【００１５】
加入者局１４０，１４２，１４４，１４６，１４８は、スペクトル拡散変調（例えば、直接シーケンス符号分割多重接続（ＤＳ−ＣＤＭＡ）、および／または、周波数ホッピング符号分割多重接続（ＦＨ−ＣＤＭＡ））、時分割多重（ＴＤＭ）変調、周波数分割多重（ＦＤＭ）変調、直交周波数分割多重（ＯＦＤＭ）変調（例えば、直交周波数分割多重接続（ＯＦＤＭＡ））、マルチキャリア変調（ＭＤＭ）のような様々な変調技術、および／または、ワイヤレス・リンクを介して通信する適切な変調技術を使用することができる。一例において、ラップトップ・コンピュータ１４０は、ＷＰＡＮ１１０を実現するために、Ｂｌｕｅｔｏｏｔｈ（Ｒ）、超広帯域（ＵＷＢ）、および／または、無線周波数識別（ＲＦＩＤ）のような非常に低電力を要求する適切なワイヤレス通信プロトコルに従って動作することができる。特に、ラップトップ・コンピュータ１４０は、ワイヤレス・リンクを介してビデオ・カメラ１４２、および／または、プリンタ１４４のようなＷＰＡＮ１１０に関連する装置と通信することができる。
【００１６】
別の例では、ラップトップ・コンピュータ１４０は、ＷＬＡＮ１２０（例えば、電気電子学会（ＩＥＥＥ）によって開発された規格である８０２．１１ファミリーおよび／またはこれらの規格の変型および発展型）を実行するために、直接シーケンス・スペクトル拡散（ＤＳＳＳ）変調および／または周波数ホッピング・スペクトル拡散（ＦＨＳＳ）変調を使用することができる。例えば、ラップトップ・コンピュータ１４０は、ワイヤレス・リンクを介してプリンタ１４４、ハンドヘルド・コンピュータ１４６、および／または、スマート・フォン１４８のようなＷＬＡＮ１２０に関連した装置と通信することができる。ラップトップ・コンピュータ１４０は、またワイヤレス・リンクを介してアクセス・ポイント（ＡＰ）１５０と通信することもできる。ＡＰ１５０は、以下さらに詳細に述べられるように、ルータ１５２に動作可能に結合される。それに代えて、ＡＰ１５０およびルータ１５２は、単一の装置（例えば、ワイヤレス・ルータ）に統合されてもよい。
【００１７】
ラップトップ・コンピュータ１４０は、無線周波数信号を複数の小さなサブ信号に分割し、それらを異なった周波数で同時に送信することによって、大量のデジタル・データを送信するＯＦＤＭ変調を使用してもよい。特に、ラップトップ・コンピュータ１４０は、ＷＭＡＮ１３０を実行するためにＯＦＤＭ変調を使用することができる。例えば、ラップトップ・コンピュータ１４０は、一般にワイヤレス・リンクを介して１６０，１６２，１６４として示される基地局と通信し、固定、ポータブル、および／または、モバイル広帯域ワイヤレス・アクセス（ＢＷＡ）ネットワークを提供するために、ＩＥＥＥによって開発された規格の８０２．１６ファミリー（例えば、ＩＥＥＥ規格８０２．１６−２００４（２００４年９月１８日公表）、ＩＥＥＥ規格８０２．１６ｅ（２００６年２月２８日公表）、ＩＥＥＥ規格８０２．１６ｆ（２００５年１２月１日公表）など）に従って動作することができる。
【００１８】
上記の例のいくつかはＩＥＥＥによって開発された規格に関連して記述されているが、ここに開示された方法および機器は、他の特別利益団体および／または規格開発組織（例えば、マルチバンドＯＦＤＭ連合（ＭＢＯＡ）、ＷｉＭｅｄｉａ連合、ワイヤレス・フィデリティ（Ｗｉ−Ｆｉ）連合、ワイマックス（ＷｉＭＡＸ）フォーラム、赤外線通信協会（ＩｒＤＡ）、第３世代パートナーシップ・プロジェクト（３ＧＰＰ）など）によって開発された多くの仕様および／または規格に容易く適用できる。ここに記述された方法および機器は、この点について制限されることはない。
【００１９】
ＷＬＡＮ１２０およびＷＭＡＮ１３０は、インターネット、電話回路網（例えば、公衆交換電話網（ＰＳＴＮ））、ローカル・エリア・ネットワーク（ＬＡＮ）、ケーブル・ネットワーク、および／または、イーサネット、デジタル加入者線（ＤＳＬ）、電話線、同軸ケーブル、および／または、あらゆるワイヤレス接続への接続を介する他のワイヤレス・ネットワークのような公共または個人ネットワーク１７０に動作可能に結合される。一例において、ＷＬＡＮ１２０は、ＡＰ１５０および／またはルータ１５２を介して公共または個人ネットワーク１７０に動作可能に結合される。別の例では、ＷＭＡＮ１３０は、基地局１６０、１６２および／または１６４を経由して公共または個人ネットワーク１７０に動作可能に結合される。
【００２０】
ワイヤレス通信システム１００は、他の適切なワイヤレス通信ネットワークを含んでもよい。例えば、ワイヤレス通信システム１００は、ワイヤレス広域ネットワーク（ＷＷＡＮ）（図示せず）を含めることができる。ラップトップ・コンピュータ１４０は、ＷＷＡＮをサポートするために他のワイヤレス通信プロトコルに従って動作してもよい。特に、これらのワイヤレス通信プロトコルは、アナログ、デジタル、および／または、デュアル・モード通信システム技術、例えばグローバル移動体通信システム（ＧＳＭ）技術、広帯域符号分割多重接続（ＷＣＤＭＡ）技術、汎用パケット・ワイヤレス・システム（ＧＰＲＳ）技術、強化データＧＳＭ環境（ＥＤＧＥ）技術、ユニバーサル移動体通信システム（ＵＭＴＳ）技術、これらの技術に基づいた規格、これらの規格および／または他の適切なワイヤレス通信規格の変型および発展型に基づく。図１はＷＰＡＮ、ＷＬＡＮ、および、ＷＭＡＮを示すが、ワイヤレス通信システム１００は、ＷＰＡＮ、ＷＬＡＮ、ＷＭＡＮ、および／または、ＷＷＡＮの他のコンビネーションを含んでいてもよい。ここに記述された方法および機器はこの点について制限されることはない。
【００２１】
ワイヤレス通信システム１００は、ネットワーク・インターフェイス装置および周辺装置（例えば、ネットワーク・インターフェイス・カード（ＮＩＣ））、アクセス・ポイント（ＡＰ）、再伝送ポイント、終端ポイント、ゲートウエイ、ブリッジ、ハブなどのような他のＷＰＡＮ、ＷＬＡＮ、ＷＭＡＮおよび／またはＷＷＡＮ装置（図示せず）を含めることができるが、それによりセルラー電話システム、衛星システム、パーソナル通信システム（ＰＣＳ）、双方向ラジオ・システム、単方向ページャ・システム、双方向ページャ・システム、パーソナル・コンピュータ（ＰＣ）システム、携帯情報端末（ＰＤＡ）システム、パーソナル・コンピューティング・アクセサリ（ＰＣＡ）システム、および／または、他の適切な通信システムを実現することができる。ある例が上述されたが、この開示がカバーする範囲はその例に制限されるものではない。
【００２２】
図２の例では、プラットフォーム２００は、一般に２１２，２１４，２１６として示される複数のワイヤレス通信装置２１０を含む。プラットフォーム２００は、さらに活動モニタ２３０、チャネル識別器２４０、コントローラ２５０、およびメモリ２６０を含む。複数のワイヤレス通信装置２１０、活動モニタ２３０、チャネル識別器２４０、コントローラ２５０、およびメモリ２６０は、バス２９０を経由して互いに動作可能に結合される。図２は、バス２９０を介して互いに結合するプラットフォーム２００のコンポーネントを示すが、これらのコンポーネントは、他の適切な直接的あるいは間接的な接続（例えば、ポイントツーポイント接続あるいはポイントツーマルチポイント接続）によって互いに動作可能に結合されてもよい。プラットフォーム２００は、加入者局（例えば、図１のラップトップ１４０）のような単一のプラットフォームに統合されてもよい。
【００２３】
複数のワイヤレス通信装置２１０のそれぞれは、ＷＰＡＮ、ＷＬＡＮ、ＷＭＡＮ、あるいはＷＷＡＮのようなワイヤレス通信ネットワークに関連付けることができる。上記のとおり、各タイプのワイヤレス通信ネットワークは、特定のワイヤレス通信技術に基づいて動作する。一例では、プラットフォーム２００は、ＵＷＢ技術（ＵＷＢ装置）２１２に基づくワイヤレス通信装置、ワイファイ技術（Ｗｉ−Ｆｉ装置）２１４に基づくワイヤレス通信装置、およびワイマックス技術（ＷｉＭＡＸ装置）２１６に基づくワイヤレス通信装置を含めることができる。
【００２４】
図２は、３つのワイヤレス通信装置を示すが、ここに記述された方法および機器は、追加のワイヤレス通信装置を含んでいてもよい。図２は、プラットフォーム２００内にＵＷＢ装置、Ｗｉ−Ｆｉ装置、およびＷｉＭＡＸ装置を示すが、ここに記述された方法および機器は、他の適切なタイプのワイヤレス通信ネットワークに従って動作する他のワイヤレス通信装置を含めることができ、および／または、他のワイヤレス通信装置のコンビネーションを含んでいてもよい。一例として、プラットフォーム２００は、付加的なワイヤレス通信装置あるいは代替のワイヤレス通信装置として、Ｂｌｕｅｔｏｏｔｈ（Ｒ）技術に基づくワイヤレス通信装置を含めることができる。ここに記述された方法および機器は、この点について制限されることはない。
【００２５】
上述の各技術は、様々な理由により有用であり、および／または、異なる環境に適することもある。簡潔に述べると、ＵＷＢ技術は、オフィスのワークスペース、家庭の部屋などのような非常に短距離（例えば、３０フィート未満）を低電力で高スループット（例えば、４８０メガビット／秒（Ｍｂｐｓ）まで）を提供する。特に、ＵＷＢ技術によって、例えば高品質ビデオが家庭の至る所に伝送することを可能にすることによって、マルチメディア・サービスを提供する。ホーム娯楽環境に加えて、ＵＷＢ技術は、ワイヤレス・ユニバーサル・シリアル・バス（ＵＳＢ）に適している。ＵＷＢ技術は、３．１ギガヘルツ（ＧＨｚ）から１０．７ＧＨｚまでの周波数範囲で動作することができる。ＵＷＢ技術は、１またはそれ以上の複数のバンド・グループ（例えば、バンド・グループ＃１、バンド・グループ＃２、バンド・グループ＃３など）内で動作する。各バンド・グループは、５２８メガヘルツ（ＭＨｚ）のサブバンドに分割される。一例において、バンド・グループ＃１は、以下詳細に記述され、図３に示されるようにバンド＃１、バンド＃２、およびバンド＃３を含む。特に、バンド＃１は、３．１６８ＧＨｚからスタートし、３．４３２ＧＨｚの中心周波数を有して、３．６９６ＧＨｚで終了する。バンド＃２は、３．６９６ＧＨｚからスタートし、３．９６０ＧＨｚの中心周波数を有して、４．２２４ＧＨｚで終了する。バンド＃３は、４．２２４ＧＨｚからスタートし、４．４８８ＧＨｚの中心周波数を有して、４．７５２ＧＨｚで終了する。ＵＷＢ装置２１２からの信号は、サブバンドの１つを占有し、予め定められたシーケンス（例えば、時間−周波数−インターリービング（ＴＦＩ）コード）に基づいてバンド＃１、バンド＃２、バンド＃３間をホップする。
【００２６】
規格８０２．１５ファミリーは、ＩＥＥＥによって開発され、ＷＰＡＮ（例えば、２００３年に公表されたＩＥＥＥ規格８０２．１５．３ａ、その変型、および／または、この規格の発展型）を提供する。ＭＢＯＡおよびＷｉＭｅｄｉａ連合によって、ＵＷＢ技術に基づいたＷＰＡＮの配備を促進させた。特に、ＭＢＯＡおよびＷｉＭｅｄｉａ連合は、ＷＰＡＮ機器の互換性および相互操作性を保証している。
【００２７】
Ｗｉ−Ｆｉ技術は、ホーム、オフィス、カフェ、ホテル、空港などを含む異なるロケーションでワイヤレス・アクセス・ポイントのサービス範囲内（例えば、ホット・スポット）で高速ワイヤレス通信接続を提供する。特に、Ｗｉ−Ｆｉ技術によって、ワイヤレス装置がワイヤレス・アクセス・ポイントのサービス範囲内（例えば、屋内１５０フィートあるいは屋外３００フィート内）にある場合に、ワイヤレス装置をネットワークに物理的につながなくても、そのワイヤレス装置をローカル・エリア・ネットワークに接続することができる。一例において、Ｗｉ−Ｆｉ技術は、高速インターネット・アクセス、および／または、ボイス・オーバ・インターネット・プロトコル（ＶｏＩＰ）サービスの接続をワイヤレス装置に提供することができる。Ｗｉ−Ｆｉ技術は、２．４ＧＨｚからスタートし、２．４８３５ＧＨｚで終了する周波数範囲、および／または、４．９ＧＨｚから５．９ＧＨｚの周波数範囲で動作する。一例において、ＩＥＥＥ規格８０２．１１ａは、５．１５ＧＨｚからスタートし５．２５ＧＨｚまでの第１バンド、５．２５ＧＨｚからスタートし５．３５ＧＨｚまでの第２バンド、５．４７ＧＨｚからスタートし５．７２５ＧＨｚまでの第３バンド、および５．７２５ＧＨｚからスタートし５．８２５ＧＨｚまでの第４バンドを指定する。別の例では、ＩＥＥＥ規格８０２．１１ｊ（２００４年に公表）は、４．９ＧＨｚから５．０ＧＨｚまでバンドを規定する。
【００２８】
規格８０２．１１ファミリーは、ＩＥＥＥによって開発され、ＷＬＡＮ（例えば、１９９９年公表されたＩＥＥＥ規格８０２．１１ａ、１９９９年公表されたＩＥＥＥ規格８０２．１１ｂ、２００３年公表されたＩＥＥＥ規格８０２．１１ｇ、その変型、および／または、これらの規格の発展型）を提供する。Ｗｉ−Ｆｉ連合によって、８０２．１１規格に基づくＷＬＡＮの配備が促進した。特に、Ｗｉ−Ｆｉ連合は、ＷＬＡＮ機器の互換性および相互操作性を保証する。便宜上、用語「８０２．１１」および「Ｗｉ−Ｆｉ（ワイファイ）」は、エアー・インターフェース規格のＩＥＥＥ８０２．１１規格を参照するために、本明細書の全体を通して互換性をもって使用される。
【００２９】
ＷｉＭＡＸ技術は、Ｗｉ−Ｆｉ技術のような他のワイヤレス技術より大きな地理的エリアにおける最後の１マイルの広帯域接続を提供することができる。特に、ＷｉＭＡＸ技術は、有線伝送が高価すぎ、不便で、および／または、利用不可能な様々な地理的位置に広帯域あるいは高速データ接続を供給する。一例として、ＷｉＭＡＸ技術は、Ｔ１型サービスをビジネスに、および／または、ケーブル／デジタル加入者線（ＤＳＬ）に等価なアクセスを家庭に可能にするより大きなサービス範囲および帯域幅を提示する。ＷｉＭＡＸ技術は、２から１１ＧＨｚの周波数帯域（例えば、２．３から２．４ＧＨｚまでのバンド、２．５から２．７ＧＨｚまでのバンド、３．３から３．８ＧＨｚまでのバンド、あるいは４．９から５．８ＧＨｚまでのバンド）で動作することができる。
【００３０】
規格８０２．１６ファミリーは、ＩＥＥＥによって開発され、固定、ポータブル、および／または、モバイルの広帯域ワイヤレス・アクセス・ネットワーク（例えば、２００４年に公表されたＩＥＥＥ規格８０２．１６−２００４、２００６年に公表されたＩＥＥＥ規格８０２．１６ｅ、２００５年に公表されたＩＥＥＥ規格８０２．１６ｆ、その変型、および／または、これらの規格の発展型）を提供する。ＷｉＭＡＸフォーラムは、ＩＥＥＥ８０２．１６規格に基づく広帯域ワイヤレス・アクセス・ネットワークの配備を促進した。特に、ＷｉＭＡＸフォーラムは、広帯域ワイヤレス機器の互換性および相互操作性を保証する。便宜上、用語「８０２．１６」および「ＷｉＭＡＸ（ワイマックス）」は、エアー・インターフェース規格のＩＥＥＥ８０２．１６規格を参照するために、本明細書の全体を通して互換性をもって使用される。
【００３１】
複数のワイヤレス通信装置２１０は、異なるワイヤレス技術に基づいて動作することができるが、複数のワイヤレス通信装置２１０の２またはそれ以上は、互いに干渉を引き起こし、および／または、干渉に影響されやすい同一の周波数範囲、隣接した周波数範囲、オーバーラップした周波数範囲、および／または、ほぼ直近の周波数範囲で動作することができる。特に、複数のワイヤレス通信装置２１０の２またはそれ以上は、互いにオーバーラップするチャネル上で動作することができる。図３の例では、ＵＷＢ装置２１２は、バンド＃１（例えば、３．１６８から３．６９６ＧＨｚ）および／またはバンド＃２（例えば、３．６９６から４．２２４ＧＨｚ）内のチャネル上で動作することができ、それはＷｉＭＡＸ装置２１６によって使用される３．３から始まり３．８ＧＨｚまでの周波数範囲３１０中のチャネルとオーバーラップする。あるいは、複数のワイヤレス通信装置２１０の２またはそれ以上は、互いにほぼ直近であるチャネル上で動作することができる。一例において、ＵＷＢ装置２１２は、バンド＃３（例えば、４．２２４から４．７５２ＧＨｚ）内のチャネル上で動作し、それはＷｉ−Ｆｉ装置２１４によって使用される４．９ＧＨｚから始まり５．２５ＧＨｚまでの周波数範囲３２０内のチャネルに近接する。
【００３２】
結果として、ＵＷＢ技術、Ｗｉ−Ｆｉ技術、および／または、ＷｉＭＡＸ技術に基づくワイヤレス通信装置の同時使用によって、潜在的に少なからぬ干渉が生じる。特に、その干渉は、近接した周波数、高電力送信、低いアンテナ分離、および／または、高データ速度変調のための高い信号対雑音比の要求（例えば、６４直交振幅変調（ＱＡＭ））によって引き起こされる。一例として、Ｗｉ−Ｆｉ技術を使用する送信は、ＷｉＭＡＸ技術を使用する受信に、あるいはその逆の場合に影響を与える可能性がある。共存するＵＷＢ技術、Ｗｉ−Ｆｉ技術、およびＷｉＭＡＸ技術間の潜在的な干渉を緩和するために、ワイヤレス通信装置２１０は、以下詳細に記述されるように動作するために構成される。
【００３３】
簡潔に述べると、Ｗｉ−ＦｉおよびＷｉＭＡＸ装置２１４，２１６の各々が広帯域信号をそれぞれ生成すると、それはＵＷＢ装置２１２の通過帯域に側波帯エネルギーを生成する。Ｗｉ−ＦｉおよびＷｉＭＡＸ装置２１４，２１６の各々は、ＵＷＢ装置２１２よりかなり高い電力レベルでそれぞれ送信する。その結果、Ｗｉ−Ｆｉ装置２１４，２１６からの信号の側波帯放射は、ＵＷＢ装置２１２の無線周波数フロント・エンドのノイズ床あるいは受信信号をそれぞれ支配する。側波帯放射は、周波数が干渉信号から遠ざかるにつれてその側波帯放射エネルギーが減少するようなロールオフ周波数特性を有する。例えば、上記のように、ＵＷＢ装置２１２は、バンド・グループ＃１のサブバンドで動作する。干渉信号に最も近いサブバンドは、周波数ロールオフのために側波帯ノイズによって最も影響を受ける。
【００３４】
アンテナ分離は干渉を低減させるかもしれないが、ここで述べられる方法および機器は、Ｗｉ−Ｆｉ装置２１４および／またはＷｉＭＡＸ装置２１６からＵＷＢ装置２１２への干渉をさらに緩和することができる。以下詳細に述べられるように、活動モニタ２３０は、Ｗｉ−Ｆｉ装置２１４および／またはＷｉＭＡＸ装置２１６に関連するチャネル情報を決定する。特に、活動モニタ２３０は、Ｗｉ−Ｆｉ装置２１４および／またはＷｉＭＡＸ装置２１６の活動を監視する。特に、活動モニタ２３０は、活動情報用メモリ２６０の第１レジスタ２６１および第２レジスタ２６２を周期的に監視する。第１レジスタ２６１は、Ｗｉ−Ｆｉ装置２１４に関連した活動情報を含む。第２レジスタ２６２は、ＷｉＭＡＸ装置２１６に関連した活動情報を含む。別の例では、ＵＷＢ装置２１２は、Ｗｉ−Ｆｉ装置２１４および／またはＷｉＭＡＸ装置２１６から活動情報を自動的に受け取ることができる。加えてあるいは代わりに、ＵＷＢ装置２１２は、Ｗｉ−Ｆｉ装置２１４および／またはＷｉＭＡＸ装置２１６からの活動情報を要求することもできる。
【００３５】
チャネル識別器２４０は、ワイヤレス・リンクを経由して通信するために、ＵＷＢ装置２１２用のあるバンド・グループにおける複数のサブバンド内の１つのサブバンドに関連する少なくとも１つのチャネルを識別することができる。特に、チャネル識別器２４０は、第１ワイヤレス通信装置および／または第２ワイヤレス通信装置によって使用される周波数範囲にオーバーラップせず、あるいはあまり近接していない、複数のサブバンドの１つのサブバンド中の少なくとも１つのチャネルを識別することができる。
【００３６】
図２に示されるコンポーネントはプラットフォーム２００内で個別ブロックとして示されているが、これらのブロックのいくつかによって実行される機能が単一の半導体回路内に集積されてもよく、あるいは２またはそれ以上の個別の集積回路を使用して実装されてもよい。一実施例において、活動モニタ２３０、チャネル識別器２４０、およびコントローラ２５０は、個別ブロックとして示されているが、活動モニタ２３０、チャネル識別器２４０、および／または、コントローラ２５０は、単一のコンポーネント（例えば、プロセッサ）に集積されてもよい。ここに記述された方法および機器は、この点について制限されることはない。
【００３７】
例えば、図４を参照すると、ワイヤレス通信装置４００は、ネットワーク・インターフェイス装置（ＮＩＤ）４１０、デバイス・ドライバ４２０、およびネットワーク装置インターフェイス仕様（ＮＤＩＳ）のアプリケーション・プログラム・インターフェース（ＡＰＩ）４３０を含む。ＮＩＤ４１０は、受信機（ＲＸ）４１２、および送信機（ＴＸ）４１４を含む。ＮＩＤ４１０は、アンテナ４１６に動作可能に結合される。アンテナ４１６は、ダイポールアンテナ、モノポールアンテナ、パッチ・アンテナ、ループ・アンテナ、マイクロストリップ・アンテナ、および／または、ＲＦ信号の伝送に適した他のタイプのアンテナのような１またはそれ以上の指向性あるいは無指向性アンテナを含む。図４は、単一のアンテナを示しているが、ワイヤレス通信装置４００は、追加のアンテナを含めてもよい。例えば、ワイヤレス通信装置４００は、マルチ入力マルチ出力（ＭＩＭＯ）システムを実装するための複数のアンテナを含んでいてもよい。
【００３８】
一般に、活動モニタ２３０および／またはチャネル識別器２４０によって行なわれる機能は、ＮＤＩＳ  ＡＰＩ４３０、および／または、デバイス・ドライバ４２０によって実行される。一例として、ワイヤレス通信装置４００は、ＵＷＢ装置２１２（図２）である。従って、ＮＤＩＳ  ＡＰＩ４３０は、Ｗｉ−Ｆｉ装置２１４およびＷｉＭＡＸ装置２１６に関連したチャネル情報を決定する。デバイス・ドライバ４２０は、複数のサブバンド（例えば、図３のバンド＃１，＃２，＃３）の１つのサブバンド中の少なくとも１つのチャネルを識別し、そのチャネルはＷｉ−Ｆｉ装置２１４および／またはＷｉＭＡＸ装置２１６によって使用される周波数範囲にあまりオーバーラップせず、あるいは近接もしていない。上記の例に従って、デバイス・ドライバ４２０は、バンド＃１、バンド＃２、あるいはバンド＃３中の少なくとも１つのチャネルを識別する。
【００３９】
図４に示されたコンポーネントは、ワイヤレス通信装置４００内の個別ブロックとして示されているが、これらのブロックのいくつかによって行なわれる機能が単一の半導体回路内に集積されてもよく、あるいは２またはそれ以上の別個の集積回路を使用して実行されてもよい。例えば、受信機４１２および送信機４１４は、ＮＩＤ４１０内で個別ブロックとして示されているが、受信機４１２は、送信機４１４へ集積されてもよい（例えば、送受信機）。ここに記述された方法および機器は、この点について制限されることはない。
【００４０】
図５は、チャネル回避システムを提供するために、図２のプラットフォーム２００で実行される１つの方法を示す。図５のプロセス例５００は、揮発性あるいは不揮発性メモリ、または他の大容量格納装置（例えば、フレキシブル・ディスク、ＣＤ、およびＤＶＤ）のようなマシン（機械）アクセス可能な媒体のいずれかのコンビネーション上に格納された多くの異なるプログラム・コードのいずれでも利用できるマシンアクセス可能な命令として実行される。例えば、マシンアクセス可能な命令は、プログラム可能なゲート・アレイ、特定用途向けＩＣ（ＡＳＩＣ）、消去可能なプログラマブル・リード・オンリ・メモリ（ＥＰＲＯＭ）、リード・オンリー・メモリ（ＲＯＭ）、ランダム・アクセス・メモリ（ＲＡＭ）、フラッシュ・メモリ、磁気メディア、光学メディアおよび／または他の適切なタイプの媒体のようなマシンアクセス可能な媒体中に埋め込まれる。
【００４１】
さらに、特定の動作順序が図５に示されているが、これらの動作は、他の一時的なシーケンスで（例えば、同時に）実行されてもよい。プロセス例５００は、チャネル回避システムを提供するための一方法例として、単に図２のプラットフォーム２００と共に提供され記述されている。
【００４２】
図５の例では、プロセス５００は、Ｗｉ−Ｆｉ装置２１４およびＷｉＭＡＸ装置２１６の活動をＵＷＢ装置２１２（例えば、図２の活動モニタ２３０を介して）が監視することから始まる（ブロック５１０）。一例として、ＵＷＢ装置２１２は、メモリ２６０の第１レジスタおよび第２レジスタを周期的に監視する（図示せず）。第１レジスタは、Ｗｉ−Ｆｉ装置２１４に関連した活動情報を含む。第２レジスタは、ＷｉＭＡＸ装置２１６に関連した活動情報を含む。別の例では、ＵＷＢ装置２１２は、活動情報をＷｉ−Ｆｉ装置２１４および／またはＷｉＭＡＸ装置２１６から自動的に取得してもよい。加えてあるいは代わりに、ＵＷＢ装置２１２は、Ｗｉ−Ｆｉ装置２１４および／またはＷｉＭＡＸ装置２１６からの活動情報を要求してもよい。
【００４３】
ＵＷＢ装置２１２は、ＷｉＭＡＸ装置２１６が使用中であるかどうかを決定する。ＷｉＭＡＸ装置２１６が使用中である場合、ＵＷＢ装置２１２は、ＷｉＭＡＸ装置２１６によって使用されているチャネルを識別する（ブロック５２５）。ＵＷＢ装置２１２は、さらにＷｉ−Ｆｉ装置２１４が使用中であるかどうかを決定する（ブロック５３０）。ブロック５２０を参照して、ＷｉＭＡＸ装置２１６が使用中でない場合、制御はブロック５３０へ直接進む。
【００４４】
Ｗｉ−Ｆｉ装置２１４が使用中である場合、ＵＷＢ装置２１２は、Ｗｉ−Ｆｉ装置２１４によって使用されているチャネルを識別する（ブロック５３５）。ＷｉＭＡＸ装置２１６および／またはＷｉ−Ｆｉ装置２１４によって使用されているチャネルに基づいて、ＵＷＢ装置２１２は、ワイヤレス・リンクを介する通信に使用するためのチャネルを決定する（ブロック５４０）。ブロック５３０に戻って、Ｗｉ−Ｆｉ装置２１４が使用中でない場合、制御はブロック５４０へ直接進む。ここに記述された方法および機器は、この点について制限されることはない。
【００４５】
図６を参照して、プロセス６００は、例えば、ＷｉＭＡＸ装置２１６が使用中であるかどうかをＵＷＢ装置２１２が決定することから開始する（ブロック６１０）。ＷｉＭＡＸ装置２１６が使用中でないことをＵＷＢ装置２１２が決定する場合、以下詳細に記述されるように、制御はプロセス７００に進む。そうでなくＷｉＭＡＸ装置２１６がブロック６１０で使用中であることをＵＷＢ装置２１２が決める場合、ＵＷＢ装置２１２は、ＷｉＭＡＸ装置２１６が３．３ＧＨｚから３．８ＧＨｚの周波数範囲（例えば、図３の周波数範囲３１０）で動作しているかどうかを決定する（ブロック６２０）。図３に示されているように、３．３ＧＨｚから３．８ＧＨｚの周波数範囲は、ＵＷＢバンド・グループ＃１のバンド＃１および＃２とオーバーラップする。
【００４６】
ＷｉＭＡＸ装置２１６が３．３ＧＨｚから３．８ＧＨｚの周波数範囲で動作していない場合、以下詳細に記述されるように、制御はプロセス７００に進む。そうでなくＷｉＭＡＸ装置２１６が３．３ＧＨｚから３．８ＧＨｚの周波数範囲で動作している場合、ＵＷＢ装置２１２は、ＵＷＢ装置２１２の電力レベルが第１しきい値未満かどうかを決定する（ブロック６３０）。第１しきい値は、特に、ＵＷＢ装置２１２がＷｉＭＡＸ装置２１６によって引き起こされる干渉を無視できるような予め定義された電力レベルである。
【００４７】
ＵＷＢの電力が、第１しきい値より高いかあるいは等しい（つまり、ＵＷＢ装置２１２はＷｉＭＡＸ装置２１６によって引き起こされる干渉を無視することができる）場合、以下詳細に記述されるように、制御はプロセス７００に進む。そうでなくＵＷＢ装置２１２の電力レベルが第１しきい値未満（つまり、ＷｉＭＡＸ装置２１６はＵＷＢ装置２１２へ干渉を引き起こすかもしれない）である場合、ＵＷＢ装置２１２は、Ｗｉ−Ｆｉ装置２１４が使用中であるかどうかを決定する。
【００４８】
Ｗｉ−Ｆｉ装置２１４が使用中でない場合、ＵＷＢ装置２１２は、ＷｉＭＡＸ装置２１６に関連するチャネルの中心周波数とバンド＃１との間の距離、およびＷｉＭＡＸ装置２１６に関連するチャネルの中心周波数とバンド＃２との間の距離を計算する（ブロック６４５）。バンド＃３を使用することに加えて、ＵＷＢ装置２１２は、ワイヤレス・リンクを介して通信する距離計算に基づいてバンド＃１あるいはバンド＃２のいずれかを使用する（ブロック６５０）。一例では、ＵＷＢ装置２１２は、ＷｉＭＡＸ装置２１６に関連するチャネルの中心周波数から最も離れた中心周波数に関連したＵＷＢバンドを使用する。例えば、図３を参照して、バンド＃３は、ＷｉＭＡＸ装置２１６の周波数範囲３１０とオーバーラップしていないが、バンド＃１および＃２はＷｉＭＡＸ装置２１６の周波数範囲３１０でオーバーラップする。従って、ＵＷＢ装置２１２は、通信するために（１）バンド＃１および＃３、あるいは（２）バンド＃２および＃３のいずれかのチャネルを使用する。結果として、ＵＷＢ装置２１２は、ＷｉＭＡＸ装置２１６との間で干渉を回避するかあるいは低減させることができる。
【００４９】
図６のブロック６４０に戻って、Ｗｉ−Ｆｉ装置２１４が使用中である場合、ＵＷＢ装置２１２は、Ｗｉ−Ｆｉ装置２１４が４．９ＧＨｚから５．２５ＧＨｚの周波数範囲（例えば、図３の周波数範囲３２０）で動作しているかどうかを決定する（ブロック６６０）。Ｗｉ−Ｆｉ装置２１４が４．９ＧＨｚから５．２５ＧＨｚの周波数範囲で動作していない場合、ＵＷＢ装置２１２は、上述のように、ブロック６４５，６５０に進む。そうでなくＷｉ−Ｆｉ装置２１４が４．９ＧＨｚから５．２５ＧＨｚの周波数範囲で動作している場合、ＵＷＢ装置２１２は、ＵＷＢ装置２１２の電力レベルが第２しきい値未満かどうかを決定する（ブロック６７０）。特に、第２しきい値は、ＵＷＢ装置２１２がＷｉ−Ｆｉ装置２１４によって引き起こされる干渉を無視することができるような予め定義された電力レベルである。
【００５０】
ＵＷＢの電力が第２しきい値より高いかあるいは等しい（つまり、ＵＷＢ装置２１２はＷｉ−Ｆｉ装置２１４からの干渉を無視することができる）場合、上述されたように、制御はブロック６４５，６５０に進む。そうでなくＵＷＢ装置２１２の電力レベルが第２しきい値未満（つまり、Ｗｉ−Ｆｉ装置２１４はＵＷＢ装置２１２への干渉を引き起こすかもしれない）である場合、ＵＷＢ装置２１２は、Ｗｉ−Ｆｉ装置２１４が別のバンドへ変更するかどうかを決定する（ブロック６８０）。
【００５１】
Ｗｉ−Ｆｉ装置２１４が別のバンドに変更する場合、上述されたように、制御はブロック６４５，６５０に進む。そうでなくＷｉ−Ｆｉ装置２１４が別のバンドへ変わることができない場合、ＵＷＢ装置２１２は、ＷｉＭＡＸ装置２１６に関連したチャネルの中心周波数と、バンド＃１，＃２，＃３の各々の中心周波数との間の距離を計算する（ブロック６９０）。ＵＷＢ装置２１２は、さらにＷｉ−Ｆｉ装置２１４に関連したチャネルの中心周波数と、バンド＃１，＃２，＃３の各々の中心周波数との間の距離を計算する。上記距離計算に基づいて、ＵＷＢ装置２１２は、ワイヤレス・リンクを介して通信するバンド＃１，＃２，＃３の１つを使用する（ブロック６５０）。一例では、ＵＷＢ装置２１２は、Ｗｉ−Ｆｉ装置２１４によって使用されるチャネルおよびＷｉＭＡＸ装置２１６によって使用されるチャネルの中心周波数から最も離れたバンド＃１，＃２，＃３の１つに関連するチャネルを使用する。ＵＷＢ装置２１２によって使用されるチャネルの中心周波数と、Ｗｉ−Ｆｉ装置２１４およびＷｉＭＡＸ装置２１６によって使用されるチャネルの中心周波数との間の距離をより大きくすることで、ＵＷＢ装置２１２は、周波数のオーバーラップを回避し、かつ、隣接したスペクトルへの漏洩を低減させることができる。結果として、ＵＷＢ装置２１２は、Ｗｉ−Ｆｉ装置２１４および／またはＷｉＭＡＸ装置２１６との間の干渉を回避し低減させることができる。
【００５２】
上述のように、ＷｉＭＡＸ装置２１６は、Ｗｉ−Ｆｉ装置２１４あるいはＵＷＢ装置２１２のいずれより比較的広いカバレージ範囲を提供する。結果として、ＷｉＭＡＸ装置２１６は、同じレベルの干渉によってＷｉ−Ｆｉ２１４あるいはＵＷＢ装置２１２のいずれよりも広いカバレージ範囲を失うおそれがある。従って、プラットフォーム２００は、ＷｉＭＡＸ装置２１６にＷｉ−Ｆｉ装置２１４およびＵＷＢ装置２１２の双方より高いライオリティを与える。さらに、ＵＷＢ装置２１２は、Ｗｉ−Ｆｉ装置２１４より広い周波数帯を使用することができる（例えば、図３の周波数帯３２０は３５０ＭＨｚの帯域幅を有しているが、ＵＷＢバンド・グループ＃１は１．５８４ＧＨｚの帯域幅を有する）。このように、プラットフォーム２００は、ＵＷＢ装置２１２より高いプライオリティをＷｉ−Ｆｉ装置２１４に与えることができる。ここに記述された方法および機器は、この点について制限されることはない。
【００５３】
図７の例では、非干渉ＷｉＭＡＸプロセス７００は、Ｗｉ−Ｆｉ装置２１４が使用中であるかどうかをＵＷＢ装置２１２が決定することから始まる（ブロック７１０）。Ｗｉ−Ｆｉ装置２１４が使用中でない場合、ＵＷＢ装置２１２は、いかなる変更もなくワイヤレス・リンクを経由して通信を継続する（ブロック７１５）。特に、Ｗｉ−Ｆｉ装置２１４は、バンド＃１、＃２、および／または、＃３にあまり近接していないバンドで動作する。結果として、ＵＷＢ装置２１２およびＷｉ−Ｆｉ装置２１４は、互いに干渉を引き起こさない。
【００５４】
そうでなくＷｉ−Ｆｉ２１４が使用中であることをＵＷＢ装置２１２がブロック７１０で決定する場合、ＵＷＢ装置２１２は、Ｗｉ−Ｆｉ装置２１４が４．９ＧＨｚから５．２５ＧＨｚの周波数範囲で動作しているかどうかを決定する（ブロック７２０）。Ｗｉ−Ｆｉ装置２１４が４．９ＧＨｚから５．２５ＧＨｚの周波数範囲で動作していない場合、上述のように、制御はブロック７１５に進む。従って、ＵＷＢ装置２１２は、いかなる変更もなくワイヤレス・リンクを介して通信を継続する。そうでなくＷｉ−Ｆｉ装置２１４が４．９ＧＨｚから５．２５ＧＨｚの周波数範囲で動作している場合、ＵＷＢ装置２１２は、ＵＷＢ装置２１２の電力レベルが第２しきい値未満であるかどうかを決定する（ブロック７３０）。上記のように、第２しきい値は、ＵＷＢ装置２１２がＷｉ−Ｆｉ装置２１４によって引き起こされる干渉を無視できる予め定められた電力レベルである。
【００５５】
ＵＷＢ装置２１２の電力レベルが第２しきい値より高いかあるいは等しい（つまり、ＵＷＢ装置２１２はＷｉ−Ｆｉ装置２１４からの干渉を無視できる）場合、上述のように、制御はブロック７１５に進む。従って、ＵＷＢ装置２１２は、いかなる変更もなくワイヤレス・リンクを介して通信を継続する。そうでなくＵＷＢ装置２１２の電力レベルが第２しきい値未満（つまり、Ｗｉ−Ｆｉ装置２１４はＵＷＢ装置２１２へ干渉を引き起こす）である場合、ＵＷＢ装置２１２は、Ｗｉ−Ｆｉ装置２１４が別のバンドへ変更するかどうかを決定する（ブロック７４０）。
【００５６】
Ｗｉ−Ｆｉ装置２１４が別のバンドに変わる場合、上述のように、制御はブロック７１５に進む。従って、ＵＷＢ装置２１２は、いかなる変更もなくワイヤレス・リンクを介して通信を継続する。そうでなくＷｉ−Ｆｉ装置２１４が別のバンドに変わることができない場合、ＵＷＢ装置２１２はバンド＃１および／または＃２を使用する（ブロック７５０）。図３に示されているように、バンド＃３がＷｉ−Ｆｉ装置２１４によって使用される周波数範囲３２０にかなり近接しているので、例えば、ＵＷＢ装置２１２は、バンド＃３を回避する。その結果、ＵＷＢ装置２１２は、Ｗｉ−Ｆｉ装置２１４からおよびＷｉ−Ｆｉ装置２１４への干渉を回避し、あるいは緩和することができる。ここに記述された方法および機器は、この点について制限されることはない。
【００５７】
図８は、ここに記述された方法および機器を実装するために適したプロセッサ・システム例２０００のブロック図である。プロセッサ・システム２０００は、デスクトップ・コンピュータ、ラップトップ・コンピュータ、ハンドヘルド・コンピュータ、タブレット・コンピュータ、個人向け携帯情報機器（ＰＤＡ）、サーバー、インターネット機器、および／または、他のタイプの演算装置である。
【００５８】
図８に示されたプロセッサ・システム２０００は、メモリ・コントローラ２０１２、および入出力（Ｉ／Ｏ）コントローラ２０１４を含むチップセット２０１０を含む。チップセット２０１０は、メモリおよびＩ／Ｏ管理機能と提供するとともに、汎用目的および／または特定目的の複数のレジスタ、タイマーなどを提供し、それらはプロセッサ２０２０にアクセス可能であり、あるいはプロセッサ２０２０によって使用される。プロセッサ２０２０は、１またはそれ以上のプロセッサ、ＷＰＡＮコンポーネント、ＷＬＡＮコンポーネント、ＷＭＡＮコンポーネント、ＷＷＡＮコンポーネント、および／または、他の適切な処理コンポーネントを使用して実行される。例えば、プロセッサ２０２０は、Ｉｎｔｅｌ（Ｒ）Ｃｏｒｅ（Ｒ）技術、Ｉｎｔｅｌ（Ｒ）Ｐｅｎｔｉｕｍ（Ｒ）技術、Ｉｎｔｅｌ（Ｒ）Ｉｔａｎｉｕｍ（Ｒ）技術、Ｉｎｔｅｌ（Ｒ）Ｃｅｎｔｒｉｎｏ（Ｒ）技術、および／または、Ｉｎｔｅｌ（Ｒ）Ｘｅｏｎ（Ｒ）技術の１またはそれ以上を使用して実現することができる。代わりに、他の処理技術がプロセッサ２０２０を実現するために使用されてもよい。プロセッサ２０２０は、キャッシュ２０２２を含み、それは、データを格納するために第１レベルのユニファイド・キャッシュ（Ｌ１）、第２レベルのユニファイド・キャッシュ（Ｌ２）、第３レベルのユニファイド・キャッシュ（Ｌ３）、および／または、他の適切な構造を使用して実装される。
【００５９】
メモリ・コントローラ２０１２は、プロセッサ２０２０が揮発性メモリ２０３２および不揮発性メモリ２０３４を含むメイン・メモリ２０３０とバス２０４０を介してアクセスおよび通信することができる機能を実行することができる。揮発性メモリ２０３２は、同期型ダイナミック・ランダム・アクセス・メモリ（ＳＤＲＡＭ）、ダイナミック・ランダム・アクセス・メモリ（ＤＲＡＭ）、ＲＡＭＢＵＳダイナミック・ランダム・アクセス・メモリ（ＲＤＲＡＭ）、スタティック・ダイナミック・ランダム・アクセス・メモリ（ＳＲＡＭ）、および／または、他のタイプのランダム・アクセス・メモリ装置によって実現される。不揮発性メモリ２０３４は、フラッシュ・メモリ、リード・オンリー・メモリ（ＲＯＭ）、電気的消去可能リード・オンリー・メモリ（ＥＥＰＲＯＭ）、および／または、他の所望のタイプのメモリ装置によって実現される。
【００６０】
プロセッサ・システム２０００は、さらにバス２０４０に結合されるインターフェイス回路２０５０を含む。インターフェイス回路２０５０は、イーサネット・インターフェイス、ユニバーサル・シリアル・バス（ＵＳＢ）、第３世代入出力（３ＧＩＯ）インターフェイスのようなあらゆるタイプのインターフェイス規格、および／または、他の適切なタイプのインターフェイスを使用して実現される。
【００６１】
１またはそれ以上の入力装置２０６０がインターフェイス回路２０５０に接続される。入力装置２０６０によって、個人はプロセッサ２０２０へデータおよび命令を入力することができる。入力装置２０６０は、例えば、キーボード、マウス、接触感応型ディスプレイ、トラック・パッド、トラック・ボール、アイソポイント（ｉｓｏｐｏｉｎｔ）、および／または、音声認識システムによって実現される。
【００６２】
１またはそれ以上の出力装置２０７０もインターフェイス回路２０５０に接続される。出力デバイス２０７０は、例えば、ディスプレイ装置（例えば、発光型ディスプレイ（ＬＥＤ）、液晶ディスプレイ（ＬＣＤ）、陰極線管（ＣＲＴ）ディスプレイ、プリンタ、および／または、スピーカー）によって実現される。インターフェイス回路２０５０は、とりわけ、グラフィックス・ドライバ・カードを含んでいてもよい。
【００６３】
プロセッサ・システム２０００は、さらにソフトウェアとデータを格納するために１またはそれ以上の大容格納装置２０８０を含む。そのような大容量格納装置２０８０の例は、フレキシブル・ディスクおよびドライブ、ハードディスク・ドライブ、コンパクト・ディスクおよびドライブ、およびディーブイディ（ＤＶＤ）およびドライブを含む。
【００６４】
インターフェイス回路２０５０は、さらにモデムまたはネットワーク・インターフェイス・カードのような通信装置を含み、ネットワークを介して外部コンピュータとデータの交換を促進する。プロセッサ・システム２０００とネットワークとの間の通信リンクは、イーサネット接続、デジタル加入者線（ＤＳＬ）、電話線、携帯電話システム、同軸ケーブルなどのようなあらゆるタイプのネットワーク接続である。
【００６５】
入力装置２０６０、出力装置２０７０、大容量格納装置２０８０、および／または、ネットワークへのアクセスは、Ｉ／Ｏコントローラ２０１４によって制御される。特に、Ｉ／Ｏコントローラ２０１４によって、プロセッサ２０２０は、入力装置２０６０、出力装置２０７０、大容量格納装置２０８０、および／または、バス２０４０およびインターフェイス回路２０５０を経由するネットワークと通信することができる機能を実行することができる。
【００６６】
図８に示されるコンポーネントは、プロセッサ・システム２０００内の個別のブロックとして示されているが、これらのいくつかのブロックによって実行される機能は、単一の半導体回路内に集積されてもよく、あるいは２またはそれ以上の別個の集積回路を使用して実装されてもよい。例えば、メモリ・コントローラ２０１２およびＩ／Ｏコントローラ２０１４は、チップセット２０１０内で個別のブロックとして示されているが、メモリ・コントローラ２０１２およびＩ／Ｏコントローラ２０１４は、単一の半導体回路内に集積されてもよい。
【００６７】
方法、物、および物の製造方法のある例がここに記述されたが、この開示によってカバーする範囲はこれらに制限されることはない。対照的に、本開示は、文字通りあるいは均等理論のいずれかの基で添付の特許請求の範囲を公正に解釈される方法、物、および物の製造方法をすべてカバーする。例えば、ハードウェア上で実行される他のコンポーネント、ソフトウェア、あるいはファームウェアを含むシステム例を示すが、そのようなシステムは単に図示されたに過ぎず、制限すべきものでないことに着目すべきである。特に、開示されたハードウェア、ソフトウェア、および／または、ファームウェアのコンポーネントのいずれかあるいは全ては、もっぱらハードウェア中に、もっぱらソフトウェア中に、もっぱらファームウェ中に、あるいはハードウェア、ソフトウェアおよび／またはファームウェアのあるコンビネーション中に具現化されると考えられる。
【図１】
2009545272.tif 000003
【図２】
2009545272.tif 000004
【図３】
2009545272.tif 000005
【図４】
2009545272.tif 000006
【図５】
2009545272.tif 000007
【図６】
2009545272.tif 000008
【図７】
2009545272.tif 000009
【図８】
2009545272.tif 000010
【国際調査報告】
2009545272.tif 000011
2009545272.tif 000012